(57)【特許請求の範囲】
【請求項１】
腺窩から膿栓を排出する膿栓排出具であって、
一軸方向を長手とする棒状部材と、
鏡面が形成された割平面と半径より大きな高さを有する球冠とを含み、前記棒状部材の一端に設けられる球欠状部材とを備え、
前記鏡面は該一端に対する前記棒状部材の他端側に向き、
前記鏡面の前記棒状部材の長手方向に対する角度が１２０〜１５０度であることを特徴とする、膿栓排出具。
【請求項２】
前記棒状部材は第一の発光体を備え、
前記第一の発光体は、前記割平面から法線方向に２〜２０ｍｍ離間した箇所に投光することを特徴とする、請求項１に記載の膿栓排出具。
【請求項３】
前記棒状部材の他端に設けられた前記一軸方向に平行なループを有する引掛部材をさらに備えることを特徴とする、請求項１又は２に記載の膿栓排出具。
【請求項４】
前記棒状部材の他端に設けられた前記一軸方向に交差する一面を有する掻出部材をさらに備えることを特徴とする、請求項１又は２に記載の膿栓排出具。
【請求項５】
前記棒状部材の他端に設けられた半球体又は半楕円球体を有する押圧部材をさらに備えることを特徴とする、請求項１又は２に記載の膿栓排出具。
【請求項６】
前記棒状部材は第二の発光体を備え、
前記第二の発光体は、前記棒状部材の前記他端の先に２〜２０ｍｍ離間した箇所に投光することを特徴とする、請求項３〜５のいずれか一項に記載の膿栓排出具。
【発明の詳細な説明】
【技術分野】
【０００１】
本発明は、腺窩から膿栓を排出する膿栓排出具に関する。
【背景技術】
【０００２】
咽頭内の扁桃の表面にある腺窩内に食物残渣等が溜まり、固形の膿栓が形成されることがある。膿栓は、強い臭気を放つため口臭の原因になる。そこで、自らにより膿栓を除去するための道具が提案されている。例えば、特許文献１には、円錐状の透光部材の基端から光源の光を通し、透光部材の尖端から放って患部を照らし、その先端により汚れを取り除く洗浄器具が開示されている。また、特許文献２には、先端に吸引口を有する吸引パイプ部と、吸引パイプ部内を負圧にする吸引手段を内部に有するグリップ部とを備え、吸引手段により吸引パイプ部を負圧にしてその先端により膿栓を吸引して取り除く膿栓吸引具が開示されている。
【先行技術文献】
【特許文献】
【０００３】
【特許文献１】特開２００９−４７８号公報
【特許文献２】実用新案登録第３１３７６０９号公報
【発明の概要】
【発明が解決しようとする課題】
【０００４】
本発明は、腺窩から膿栓を排出するのに好適な膿栓排出具を提供することを課題とする。
【課題を解決するための手段】
【０００５】
本発明の膿栓排出具は、
腺窩から膿栓を排出する膿栓排出具であって、
一軸方向を長手とする棒状部材と、
鏡面が形成された割平面と半径より大きな高さを有する球冠とを含み、前記棒状部材の一端に設けられる球欠状部材とを備え、
前記鏡面は該一端に対する前記棒状部材の他端側に向き、
前記鏡面の前記棒状部材の長手方向に対する角度が１２０〜１５０度であることを特徴とする。
【０００６】
この特徴によれば、球欠状部材が、棒状部材の一端に、鏡面が該一端に対する棒状部材の他端側に向き、鏡面の棒状部材の長手方向に対する角度θ（図１参照）が１２０〜１５０度で、設けられていることで、その一端を咽喉に挿入して、球欠状部材の鏡面により扁桃の腺窩を視認することができる。また、球欠状部材の球冠により扁桃を押圧して腺窩から膿栓を排出することも可能である。そして、角のない球平面が扁桃部に押接されるので、扁桃が傷ついてしまうことや、局所的な押圧によって不快感を感じてしまうことが極めて少ない。また、割平面の面積を確保するために球欠状部材の径がある程度大きくなると考えられ、広範囲を押圧することで、必ずしも視認されない腺窩奥に潜む膿栓を探し出すために用いることもできる。
【０００７】
本発明の膿栓排出具は、
前記棒状部材は第一の発光体を備え、
前記第一の発光体は、前記割平面から法線方向に２〜２０ｍｍ離間した箇所に投光することを特徴とする。
【０００８】
この特徴によれば、鏡面である割平面に投影されて視認される部分に投光されるので、扁桃を明るく見て膿栓の状態を確認することができる。
【０００９】
本発明の膿栓排出具は、
前記棒状部材の他端に設けられた前記一軸方向に平行なループを有する引掛部材をさらに備えることを特徴とする。
【００１０】
この特徴によれば、さらに、引掛部材のループにより扁桃の腺窩から膿栓を引っ掛けて出すことができる。
【００１１】
本発明の膿栓排出具は、
前記棒状部材の他端に設けられた前記一軸方向に交差する一面を有する掻出部材をさらに備えることを特徴とする。
【００１２】
この特徴によれば、さらに、掻出部材の一面により扁桃の腺窩から膿栓を掻き出すことができる。
【００１３】
本発明の膿栓排出具は、
前記棒状部材の他端に設けられた半球体又は半楕円球体を有する押圧部材をさらに備えることを特徴とする。
【００１４】
この特徴によれば、さらに、押圧部材の半球体又は半楕円球体により扁桃を押圧して腺窩から膿栓を排出することができる。半球体又は半楕円球体の径を小さくすることができ、膿栓が形成された腺窩の周縁を的確に捉えて、好適な角度から押圧することができる。
【００１５】
本発明の膿栓排出具は、
前記棒状部材は第二の発光体を備え、
前記第二の発光体は、前記棒状部材の前記他端の先に２〜２０ｍｍ離間した箇所に投光することを特徴とする。
【００１６】
この特徴によれば、引掛部材、掻出部材又は押圧部材、及びその周辺を明るく見つつ、膿栓を排出することができる。
【００１７】
本発明の膿栓排出具は、
腺窩から膿栓を排出する膿栓排出具であって、
一軸方向を長手とする２〜４の棒状部材と、
前記２〜４の棒状部材の端に設けられる球欠状部材、引掛部材、掻出部材及び押圧部材のうち２以上を備え、
前記球欠状部材は、鏡面が形成された割平面と半径より大きな高さを有する球冠とを含み、前記鏡面を前記棒状部材の前記一軸方向に交差する方向に向け、
前記引掛部材は、前記棒状部材の端に設けられた前記一軸方向に平行なループを有し、
前記掻出部材は、前記棒状部材の端に設けられた前記一軸方向に交差する一面を有し、
前記押圧部材は、前記棒状部材の端に設けられた半球体又は半楕円球体を有することを特徴とする。
【００１８】
この特徴によれば、球欠状部材、引掛部材、掻出部材及び押圧部材のうちの２以上を目的に応じて設計した膿栓排出具を提供することができる。
【００１９】
本発明の膿栓排出具は、
前記球欠状部材が端に設けられた第一の棒状部材を備え、
前記第一の棒状部材は第一の発光体を備え、
前記第一の発光体は、前記割平面から法線方向に２〜２０ｍｍ離間した箇所に投光することを特徴とする。
【００２０】
この特徴によれば、鏡面である割平面に投影されて視認される部分に投光されるので、扁桃を明るく見て膿栓の状態を確認することができる。
【００２１】
本発明の膿栓排出具は、
前記引掛部材、前記掻出部材又は前記押圧部材が端に設けられた第二の棒状部材を備え、
前記第二の棒状部材は第二の発光体を備え、
前記第二の発光体は、前記棒状部材の前記引掛部材、前記掻出部材又は前記押圧部材が設けられた端に投光することを特徴とする。
【００２２】
この特徴によれば、引掛部材、掻出部材又は押圧部材、及びその周辺を明るく見ることができるので、投光しない場合よりも的確に膿栓を排出することができる。
【００２３】
本発明の膿栓排出具は、
前記球欠状部材、前記引掛部材、前記掻出部材及び前記押圧部材の全てを備えることを特徴とする。
【００２４】
この特徴によれば、球欠状部材、引掛部材、掻出部材及び押圧部材の全てを備えた膿栓排出具が提供される。膿栓の状況を視認しつつ、引掛部材のループにより扁桃の腺窩から膿栓を引っ掛けて出すこと、掻出部材の一面により扁桃の腺窩から膿栓を掻き出すこと、押圧部材の半球体又は半楕円球体により腺窩から膿栓を押圧して排出することを、膿栓の状況に基づいて選択することができる。
【発明の効果】
【００２５】
本発明の膿栓排出具によれば、簡便に、腺窩から膿栓を排出することが可能となる。
【図面の簡単な説明】
【００２６】
【図１】図１は、膿栓排出具の特に先端の構成を示す図である。
【図２】図２は、変形例に係る膿栓排出具の全体構成を示す図である。
【図３】図３は、変形例に係る膿栓排出具の特に他端の構成を示す図である。
【図４】図４は、発光体及び投光状況を示す図である。
【図５】図５は、発光体及び投光状況を示す図である。
【発明を実施するための形態】
【００２７】
以下、本発明の実施形態について説明する。
【実施例１】
【００２８】
本実施例は、膿栓排出具の基本的な構成を説明するものである。
【００２９】
図１に、本実施形態に係る膿栓排出具１、特にその先端の構成を示す。膿栓排出具１は、腺窩から膿栓を排出するための道具であり、棒状部材２及び球欠状部材３を備える。
【００３０】
棒状部材２は、ユーザが手指で膿栓排出具１を支持するための部材である。棒状部材２は、一軸方向（図面上下方向）を長手として円形断面を有する棒形状を有し、十分な強度を与えるために例えばプラスチックから形成され、長さ１５ｃｍ及び直径４ｍｍとする。
【００３１】
球欠状部材３は、ユーザが扁桃の腺窩を視認するための鏡と扁桃を押圧して腺窩から膿栓を排出するための排出具とを兼ね備えた膿栓排出具１の頭部である。球欠状部材３は、棒状部材２の一端に、球体の一部をこれに交差する平面（割平面と呼ぶ）により一部が欠けた球欠形状を有する。ただし、球欠形状の頭部は、割平面と球冠とを有し、半径より大きな高さ（すなわち、割平面の中心から球体の中心を通る球欠の頂点までの長さ）を有する。割平面には、例えば独立して構成された鏡体を割平面に固定する等して、鏡面３ａが形成されている。
【００３２】
球欠状部材３は、鏡面３ａを棒状部材２の他端（すなわち、基端）側に、棒状部材２の長手に交差する方向（図１（Ｂ）における左下方向）に向けて、棒状部材２の先端に設けられている。ここで、鏡面３ａにより扁桃の腺窩を視認する目的より、棒状部材２の長手に対する鏡面３ａの角度θは１２０〜１５０度の範囲内であることが望ましい。また、球欠状部材３は、扁桃を押圧する目的のために適度の強度を有する例えばシリコンより構成される。
【００３３】
上述の構成の膿栓排出具１により、球欠状部材３が設けられた膿栓排出具１の先端を咽喉に挿入し、球欠状部材３の鏡面３ａを扁桃の腺窩に向け、鏡面３ａにより扁桃を視認し、棒状部材２を１８０度回転して球欠状部材３の球冠を扁桃の腺窩に向け、球冠により扁桃を押圧することで腺窩から膿栓を排出することができる。
【００３４】
以上詳細に説明したように、本実施例の膿栓排出具１は、一軸方向を長手とする棒状部材２、及び鏡面３ａが形成された割平面と半径より大きな高さを有する球冠とを含み、鏡面３ａを棒状部材２の他端側の一軸方向に交差する方向に向けて棒状部材２の一端に設けられる球欠状部材３を備える。球欠状部材３が、鏡面３ａが形成された割平面を棒状部材２の他端側の一軸方向に交差する方向に向けて棒状部材２の一端に設けられていることで、その一端を咽喉に挿入して、球欠状部材３の鏡面３ａにより扁桃の腺窩を視認するとともに、球欠状部材３の球冠により扁桃を押圧して腺窩から膿栓を排出することができる。
【００３５】
図２に、変形例に係る膿栓排出具１１の全体構成を示す。膿栓排出具１１は、先述の膿栓排出具１の棒状部材２の基端に別の頭部が設けられたものである。別の頭部を除く棒状部材２及び球欠状部材３は先述のとおりである。別の頭部は、一例として、引掛部材４である。
【００３６】
図３（Ａ）に、変形例に係る膿栓排出具１１の特に他端の構成を示す。引掛部材４は、直径７ｍｍ程度の円環を有し、円環の一端が棒状部材２の基端に固定されている。なお、円環に限らず、棒状部材２の基端から長手方向に延び出し、長手方向に平行なループをなして基端に戻るループでもよい。引掛部材４の円環又はループにより、扁桃の腺窩から膿栓を引っ掛けて排出することができる。引掛部材４は、膿栓を排出できかつ扁桃を擦損しない目的のために適度の強度を有する例えばシリコンより構成される。
【００３７】
図３（Ｂ）に、さらに別の変形例に係る膿栓排出具１１の特に他端の構成を示す。別の頭部として、棒状部材２の長手に交差する方向に掻き出し面５ａを有する掻出部材５が設けられている。すなわち、掻出部材５は、耳かきのような形状を有する。掻出部材５により、その掻き出し面５ａにより扁桃の腺窩から膿栓を掻き出すことができる。掻出部材５は、膿栓を排出できかつ扁桃を擦損しない目的のために適度の強度を有する例えばシリコンより構成される。
【００３８】
図３（Ｃ）に、さらに別の変形例に係る膿栓排出具１１の特に他端の構成を示す。別の頭部として、例えば長径１０ｍｍ程度の半楕円球体を有する押圧部材６が設けられている。押圧部材６の半楕円球体により扁桃を押圧して腺窩から膿栓を排出することができる。押圧部材６の棒状部材２寄りの箇所は楕円球状でなくてもよく任意の形状で問題ない。押圧部材６は、扁桃を押圧する目的のために適度の強度を有する例えばシリコンより構成される。
【００３９】
なお、球欠状部材３、引掛部材４、掻出部材５及び押圧部材６について、２〜４の棒状部材の一端又は他端に、任意の組み合わせ方で設けることができる。また、球欠状部材３、引掛部材４、掻出部材５及び押圧部材６の全てを設けても、これらのうち２つ又は３つを設けてもよい。膿栓に対する処置に対応して設計すればよい。
【実施例２】
【００４０】
本実施例は、膿栓排出具への投光を説明するものである。
【００４１】
図４は、発光体及び投光状況を示す図である。図１に示した膿栓排出具１に、第一の発光体７１が設けられている。第一の発光体７１は、例えば小型の電球であり、電池（非図示）からの電源を受け、スイッチ（非図示）の操作により発光する。
【００４２】
第一の発光体７１は、図４（Ｂ）において点線で示した範囲に投光する。図において網掛けで示した領域７１ａの全箇所に投光される。領域７１ａは、鏡面３ａから２〜２０ｍｍ離れた箇所である。図においては長方形で示されているが、鏡面３ａが円形であるので、領域７１ａは図と交差する方向に径を有する円柱形である。
【００４３】
実際に扁桃を見る状況では、図面左方から領域７１ａに向けて扁桃が存在する（領域７１ａ内の図面右側に扁桃の表面がある）。扁桃の表面は、投光され、鏡面３ａによって明るく見える。
【００４４】
図５は、発光体及び投光状況を示す図である。図３に示した膿栓排出具１に、第二の発光体７２が設けられている。第二の発光体７２は、例えば小型の電球であり、電池（非図示）からの電源を受け、スイッチ（非図示）の操作により発光する。
【００４５】
図５について、図４との相違は、投光方向である。図４においては、球欠状部材３の鏡面３ａに投射される扁桃の部分に投光した。一方引掛部材４、掻出部材５及び押圧部材６については、これらの部材によって直接に処置をするので、これらの部材（棒状部材２の端部）に投光することで処置対象を明るくし、処置を容易にする。
なお、引掛部材４については、図５（Ａ）において図３（Ａ）から９０度回転した状態を示した。引掛の操作における対象物に投光するものである。
【００４６】
なお、図においては１のみの第二の発光体７２を示したが、引掛部材４、掻出部材５及び押圧部材６の周囲に向けて多方向から投光して一様な明るさとするため２以上の第二の発光体７２を棒状部材２の周囲に設けてもよい。
【００４７】
第二の発光体７２を棒状部材２の先端部（透明又は半透明にして透光性を持たせてもよい）に設け、引掛部材４、掻出部材５及び押圧部材６に向けて投光してもよい。この際、引掛部材４、掻出部材５及び押圧部材６を透明にして陰影ができないようにすることもできる。
【００４８】
また、引掛部材４、掻出部材５及び押圧部材６を光透過性部材とし、棒状部材２の中間に電球を設けてもよい。この場合、引掛部材４、掻出部材５及び押圧部材６が第二の発光体７２を兼用する。
【産業上の利用可能性】
【００４９】
腺窩から膿栓を排出するのに好適な膿栓排出具である。例えば自宅において手軽に膿栓をケアし、直接的に口臭予防ができるので、利用を欲する個人が多いと考えられる。
また、医療機関においても、膿栓除去に通院する患者に適用できるので、利用を欲する医療機関が多いと考えられる。
介護においても、同様に被介護者（主に高齢者）の膿栓除去による口腔ケアに活用できるので、介護施設、介護を行う個人による利用も多く考えられる。
【符号の説明】
【００５０】
１    膿栓排出具
２    棒状部材
３    球欠状部材
３ａ  鏡面
４    引掛部材
５    掻出部材
５ａ  掻き出し面
６    押出部材
７１  第一の発光体
７２  第二の発光体
１１    膿栓排出具
【要約】
【課題】腺窩から膿栓を排出するのに好適な膿栓排出具を提供すること。
【解決手段】膿栓排出具１は、一軸方向を長手とする棒状部材２、及び鏡面３ａが形成された割平面と半径より大きな高さを有する球冠とを含み、鏡面３ａを棒状部材２の他端側の一軸方向に交差する方向に向けて棒状部材２の一端に設けられる球欠状部材３を備える。球欠状部材３が、鏡面３ａが形成された割平面を棒状部材２の他端側の一軸方向に交差する方向に向けて棒状部材２の一端に設けられていることで、その一端を咽喉に挿入して、球欠状部材３の鏡面３ａにより扁桃の腺窩を視認するとともに、球欠状部材３の球冠により扁桃を押圧して腺窩から膿栓を排出することができる。
【選択図】図１【図１】
0005975588.tif 000002
【図２】
0005975588.tif 000003
【図３】
0005975588.tif 000004
【図４】
0005975588.tif 000005
【図５】
0005975588.tif 000006